(57)【特許請求の範囲】
【請求項１】
主骨体と、主骨体の下部に高さ調整可能に設けられて接地面に接地される座体と、主骨体に隣接する接地面に接地されて所定の重量を備えた錘体と、錘体と主骨体とを連結する連結体と、主骨体の下部に座体と干渉しない様に設けられて接地面を転動し得る車輪と、座体に設けられて接地面に対して滑止めを行なう滑止体と、を備え、
滑止体は、座体に螺設された螺孔と、螺孔に螺合されるボルトと、ボルトの先端に形成されて接地面に突入し得る突起と、を備えることを特徴とするテントフレーム。
【請求項２】
錘体は、接地面に対して滑止めを行なう滑止体を備えている請求項１に記載のテントフレーム。
【請求項３】
錘体は、フォーク挿入空間を備えている請求項１又は２に記載のテントフレーム。
【請求項４】
錘体は、接地面に接地されてフォーク挿入空間を形成する挿入空間形成体を備え、挿入空間形成体は、接地面に対して滑止めを行なう滑止体を備えている請求項１又は３に記載のテントフレーム。
【請求項５】
錘体の滑止体は、固定側に螺設された螺孔と、螺孔に螺合されるボルトと、ボルトの先端に形成されて接地面に突入し得る突起とを備えている請求項２に記載のテントフレーム。
【発明の詳細な説明】
【技術分野】
【０００１】
本発明は、例えば大型倉庫や建築現場の仮囲い等として用いられるテントハウスを構成するテントフレームの改良に関する。
【背景技術】
【０００２】
従来、この種のテントフレームとしては、例えば次の様なものが知られている。
（１）  主骨体と、主骨体の下部に高さ調整可能に設けられて接地面に接地される座体と、主骨体に隣接する接地面に接地されて所定の重量を備えた錘体と、錘体と主骨体とを連結する連結体（索条）とを具備するもの（特許文献１参照）。
（２）  主骨体と、主骨体の下部に高さ調整可能に設けられて接地面に接地される座体と、主骨体の下部に座体と干渉しない様に設けられて接地面を転動し得る車輪とを具備するもの（特許文献２〜４参照）。
【先行技術文献】
【特許文献】
【０００３】
【特許文献１】特開２００９−１５００８３号公報
【特許文献２】特開２０１０−７２９４号公報
【特許文献３】特公平７−８８７２２号公報
【特許文献４】特開平８−３３８１３１号公報
【発明の概要】
【発明が解決しようとする課題】
【０００４】
ところが、前者のものは、座体と錘体と連結体を備えているので、所定の場所に定置する事ができるものの、任意の場所へ移動する事ができなかった。
他方、後者のものは、座体を備えているので、所定の場所に定置する事ができると共に、車輪を備えているので、任意の場所へ移動する事ができる。
然しながら、従来の何れのものも、座体を固定する為のアンカを接地面に打設できない場合には、例えば強風等の外力が作用すると、接地面に対して座体や錘体が不用意に滑って移動してしまい、最悪の場合には、転倒する可能性があった。
【０００５】
本発明は、叙上の問題点に鑑み、これを解消する為に創案されたもので、その課題とする処は、強風等の外力が作用しても不用意に滑る事がなく、所定の場所に安定して定置できると共に、それでいて任意の場所に容易に移動できる様にしたテントフレームを提供するにある。
【課題を解決するための手段】
【０００６】
本発明のテントフレームは、基本的には、主骨体と、主骨体の下部に高さ調整可能に設けられて接地面に接地される座体と、主骨体に隣接する接地面に接地されて所定の重量を備えた錘体と、錘体と主骨体とを連結する連結体と、主骨体の下部に座体と干渉しない様に設けられて接地面を転動し得る車輪と、座体に設けられて接地面に対して滑止めを行なう滑止体と、を備え、滑止体は、座体に螺設された螺孔と、螺孔に螺合されるボルトと、ボルトの先端に形成されて接地面に突入し得る突起と、を備えることに特徴が存する。
【０００７】
座体が接地面に接地されると共に、座体の上に主骨体が樹立される。錘体が主骨体に隣接する接地面に接地されると共に、錘体と主骨体とが連結体に依り連結される。
所定の重量を備えた錘体を設けると共に、錘体と主骨体とを連結体に依り連結したので、テントフレームに強風等の大きな外力が作用しても、これが転倒する事がない。
主骨体に対して座体を調整移動させると、接地面に対して主骨体の高さを調整する事ができる。
連結体に依る錘体と主骨体との連結を解除した後に、座体が高さ調整されて接地面から離間（離地）されると、車輪が接地面に接地される。そうすると、車輪を利用して主骨体を任意の場所へ移動する事ができる。錘体は、クレーンやフォークリフト等を利用して主骨体に隣接する任意の場所に移動する事ができる。
主骨体と錘体とを任意の場所へ移動した後には、座体が高さ調整されてこれが接地面に接地されると共に、車輪が接地面から離間される。そして、連結体に依り錘体と主骨体とが連結される。そうすると、車輪より接地面積が大きい座体に依り主骨体が支持される。この為、安定した定置が行われると共に、車輪が離地される事に依り主骨体の自重が作用せず、車輪が損傷する惧れもなくなる。
主骨体の下部には、接地面を転動し得る車輪が設けられているので、主骨体を任意の場所に容易に移動させる事ができる。
座体には、接地面に対して滑止めを行なう滑止体が設けられているので、座体と接地面との間の摩擦抵抗が増大し、接地面に対して座体が滑る惧れがない。この為、テントフレームに強風等の外力が作用しても、定置場所から不用意に移動したり、転倒する惧れがない。
【０００８】
錘体は、接地面に対して滑止めを行なう滑止体を備えているのが好ましい。この様にすれば、接地面に対して錘体が滑る事がなく、強風等の外力に依り錘体が不用意に移動する事がない。
【０００９】
錘体は、フォーク挿入空間を備えているのが好ましい。この様にすれば、フォークリフトのフォークをフォーク挿入空間に挿入して錘体を持ち上げる事ができ、所謂フォークリフトを利用して錘体を任意の場所に移動する事ができる。
【００１０】
錘体は、接地面に接地されてフォーク挿入空間が形成される挿入空間形成体を備え、挿入空間形成体は、接地面に対して滑止めを行なう滑止体を備えているのが好ましい。この様にすれば、接地面に対して錘体を滑止めする事ができるだけでなく、挿入空間形成体を利用して滑止体を設ける事ができる。
【００１１】
挿入空間形成体は、一対のものが錘体の下部に付設されると共に、フォーク挿入空間は、錘体と接地面との間に形成されるのが好ましい。この様にすれば、比較的大きなフォーク挿入空間を形成でき、フォークリフトのフォークの挿入が容易に行なえる。
【００１２】
挿入空間形成体は、中空状にして一対のものが錘体の下部に付設されると共に、フォーク挿入空間は、挿入空間形成体の中空部分に形成されるのが好ましい。この様にすれば、挿入空間形成体の中空部分をフォーク挿入空間として利用できるので、フォークリフトに依り錘体を運搬する際には、フォークに対して錘体が横滑りする事がない。
【００１３】
連結体は、可撓性を有する索条にしてあるのが好ましい。この様にすれば、引張荷重に対応できるので、主骨体の比較的上位と錘体との連結を容易に行なう事ができる。
【００１４】
連結体は、剛性を有する材料にしてあるのが好ましい。この様にすれば、引張荷重と圧縮荷重に対応できるので、主骨体の比較的下位と錘体との連結を容易に行なう事ができる。
【００１５】
車輪は、主骨体に対して高さ調整可能に設けられているのが好ましい。この様にすれば、接地面が傾斜していても、主骨体に対して車輪を高さ調整する事ができ、主骨体を適正な姿勢に保つ事ができる。
【００１６】
車輪は、主骨体に対して縦軸廻りに旋回可能に設けられているのが好ましい。この様にすれば、主骨体を任意の方向へ旋回させる事ができる。
【００２１】
滑止体は、固定側に螺設された螺孔と、これに螺合されるボルトと、ボルトの先端に形成されて接地面に突入し得る突起とを備えているのが好ましい。この様にすれば、ボルトの螺動に依りこれを上下に移動でき、接地面に対する突入量を可変する事ができる。その結果、滑止め効果を容易に可変する事ができると共に、不要の場合には、螺脱する事に依り簡単に取外す事ができる。
【発明の効果】
【００２２】
本発明に依れば、次の様な優れた効果を奏する事ができる。
（１）  主骨体、座体、錘体、連結体、車輪、滑止体とで構成し、とりわけ、主骨体の下部に高さ調整可能に設けられて接地面に接地される座体と、主骨体に隣接する接地面に接地されて所定の重量を備えた錘体と、錘体と主骨体とを連結する連結体と、主骨体の下部に座体と干渉しない様に設けられて接地面を転動し得る車輪とを具備しているので、所定の場所に安定して定置できると共に、任意の場所に容易に移動できる。
（２）  座体には、接地面に対して滑止めを行なう滑止体が設けられているので、座体が接地面に対して滑る事がなく、所定位置に確実に定置する事ができる。その結果、強風等の外力が作用しても、テントフレームが接地面に対して不用意に移動する事がなく、転倒する惧れもない。
【図面の簡単な説明】
【００２３】
【図１】本発明の第一例に係るテントフレームを示す一部を省略した正面図。
【図２】図１の側面図。
【図３】図１の横断平面図。
【図４】図１の要部拡大正面図。
【図５】図１の座体を示す要部拡大斜視図。
【図６】図１の錘体を示す拡大斜視図。
【図７】本発明の第二例に係るテントフレームを示す要部拡大正面図。
【図８】図７の座体を示す要部拡大斜視図。
【図９】図７の錘体を示す拡大斜視図。
【図１０】本発明の第三例に係る錘体を示す拡大斜視図。
【図１１】本発明の第四例に係る錘体を示す拡大斜視図。
【発明を実施するための形態】
【００２４】
以下、本発明の実施の形態を、図面に基づいて説明する。
図１乃至図６は、本発明の第一例を、図７乃至図９は、本発明の第二例を、図１０は、本発明の第三例を、図１１は、本発明の第四例を夫々示している。尚、以下の説明に於て、左右方向とは、テントフレーム１の幅方向（図１に於て左右方向）を言い、前後方向とは、テントフレーム１の奥行方向（図２に於て左右方向）を言う事にする。
【００２５】
図１乃至図６に於て、テントフレーム１は、主骨体２、座体３、錘体４、連結体５、車輪６、滑止体７とからその主要部が構成されて居り、テントハウスに適用される。
テントハウスは、接地面Ａに設置されるテントフレーム１と、図略しているが、これの外側に張られるテントシート（膜体）とから構成されている。
接地面Ａは、コンクリートやアスファルト等で舗装されて比較的強硬で平滑にされている。
【００２６】
主骨体２は、テントフレーム１の基本部分を為すもので、この例では、直立した支柱８と、これの上部に着脱可能に連結されてこれから斜め上方に延出する屋根骨９とを備えて居り、この様なものが左右一対あって左右の屋根骨９どうしが連結されて門型にされている。
支柱８は、左右の縦管１０と、これらを連結する適数の横材１１及び適数の筋交材１２とを備えている。
屋根骨９は、上下の斜管１３と、これらを連結する適数の縦管１４及び適数の筋交管１５とを備えている。
而して、主骨体２は、前後方向に所定の間隔を置いて適数だけ配列されて居り、前後方向に隣接する主骨体２間には、図略しているが、適数の連結部材（筋交材や桁材）が着脱可能に設けられている。従って、テントフレーム１は、この連結部材をも包含している。
【００２７】
座体３は、主骨体２の下部に高さ調整可能に設けられて接地面Ａに接地されるもので、この例では、スクリュベース（ジャッキベース）にしてあり、主骨体２の支柱８を構成する縦管１０の下部に設けられて居り、平面略正方形で板状を呈する座板１６と、これに植設されて上部が支柱８の縦管１０に着脱可能に挿入される螺子棒１７と、これに螺合されて支柱８の縦管１０の下面に当合されるハンドルナット１８と、支柱８の縦管１０に螺設されて螺子棒１７を抜止めする抜止ボルト１９とを備えている。
【００２８】
錘体４は、主骨体２に隣接する接地面Ａに接地されて所定の重量を備えたもので、この例では、隣接する前後の主骨体２の支柱８間に位置する接地面Ａに接地されると共に、前後方向に長い直方体状を呈して各主骨体２の設置領域に収まる大きさを備えて居り、金属製で上方が開放した箱形を為す外殻２０と、これの内部に充填されたコンクリート２１と、これの上部に設けられた吊具２２とを備えている。吊具２２は、コンクリート２１の上面中央に窪所を形成する為の上方が開放した箱体と、これの内部に設けられた適数（一つ）の水平な棒体とから成って居り、図略しているが、箱体と棒体の少なくとも一方は、コンクリート２１内で外殻２０と連結されている。
而して、錘体４は、図示しないフォークリフトのフォークが挿入されるフォーク挿入空間２３を備えている。フォーク挿入空間２３は、錘体４の外殻２０の下部に前後方向に所定間隔を置いて配された一対の挿入空間形成体２４を溶接等で固定する事に依り錘体４と接地面Ａとの間に形成されている。挿入空間形成体２４は、角筒状を呈し、両端の開放部分が盲板で塞がれている。
【００２９】
連結体５は、錘体４と主骨体２とを連結するもので、この例では、可撓性を有するワイヤロープ等の索条にしてあり、一端が錘体４の吊具２２に止結されていると共に、他端が主骨体２の屋根骨７の基端部に設けたアイボルト等の止結具２５に止結されている。
【００３０】
車輪６は、主骨体２の下部に座体３と干渉しない様に設けられて接地面Ａを転動し得るもので、この例では、転輪２６と、これを水平軸廻りに回転可能に支持する倒立略Ｕ型の支持体２７と、これに植設された螺子棒２８とを備えた螺子込み式のキャスタを用いて居り、主骨体２の支柱８に対して高さ調整手段２９に依り高さ調整可能並びに旋回可能に設けられている。
高さ調整手段２９は、主骨体２の支柱８を構成する最下位の横材１１に設けられて車輪６の螺子棒２８が着脱可能に挿入される角管製の筒体３０と、車輪６の螺子棒２８に螺合されて筒体３０の下面に当合されるハンドルナット３１と、筒体３０に螺設されて車輪６の螺子棒２８を抜止めする抜止ボルト３２とを備えている。ハンドルナット３１を回動させると、車輪６の高さを調整できると共に、抜止ボルト３２を緩めると、筒体３０に対して車輪６を縦軸廻りに旋回させる事ができる。
【００３１】
滑止体６は、座体３に設けられて接地面Ａに対して滑止めを行なうもので、この例では、接地面Ａに突入し得る突起（スパイク）３３を備えた略鋸板状を呈して居り、この様なものを四つ用意して固定側となる座体３の座板１６の四辺外側に夫々溶接等に依り付設されている。
【００３２】
而して、滑止体６は、座体３だけでなく、錘体４にも設けられている。
錘体４に設けられる滑止体６は、固定側となる各挿入空間形成体２４の前後方向の両側に一対づつ設けられていると共に、この様なものが左右方向に所定間隔を置いて複数（二つ）づつ溶接等に依り付設されている。つまり、一つの挿入空間形成体２４に対して合計四つの滑止体６が付設されている。
【００３３】
次に、この様な構成に基づいてその作用を述解する。
図１乃至図４に示す如く、座体３が接地面Ａに接地されると共に、座体３の上に主骨体２が樹立される。錘体４が隣接する主骨体２の支柱８間の接地面Ａに接地されると共に、錘体４の吊具２２と主骨体２の止結具２５とが連結体５に依り連結される。
所定の重量を備えた錘体４を設けると共に、錘体４と主骨体２とを連結体５に依り連結したので、テントフレーム１に強風等の大きな外力が作用しても、これが転倒する事がない。
主骨体２に対して座体３を調整移動させると、接地面Ａに対して主骨体２の高さを調整する事ができる。
【００３４】
連結体５に依る錘体４と主骨体２との連結を解除した後に、座体３が高さ調整されて接地面Ａから離間（離地）されると、車輪６が接地面Ａに接地される。そうすると、車輪６を利用して主骨体２を任意の場所へ移動する事ができる。錘体４は、吊具２２を利用してクレーンに依り吊り上げたり、フォーク挿入空間２３を利用してフォークリフトに依り持ち上げたりして主骨体２に隣接する任意の場所に移動する事ができる。
【００３５】
主骨体２と錘体４を任意の場所へ移動した後には、座体３が高さ調整されてこれが接地面Ａに接地されると共に、車輪６が接地面Ａから離間される。そして、連結体５に依り錘体４と主骨体２とが連結される。そうすると、車輪６より接地面積が大きい座体３に依り主骨体２が支持される。この為、安定した定置が行われると共に、車輪６が離地される事に依り主骨体２の自重が作用せず、車輪６が損傷する惧れもなくなる。
主骨体２の下部には、接地面Ａを転動し得る車輪６が設けられているので、主骨体２を任意の場所に容易に移動させる事ができる。
【００３６】
座体３及び錘体４には、接地面Ａに対して滑止めを行なう滑止体７が設けられているので、座体３及び錘体４と接地面Ａとの間の摩擦抵抗が増大し、接地面Ａに対して座体３及び錘体４が滑る惧れがない。この為に、テントフレーム１に強風等の外力が作用しても、定置場所から不用意に移動する事がなく、転倒する惧れもない。
【００３７】
錘体４は、接地面Ａに接地されてフォーク挿入空間２３が形成される挿入空間形成体２４を備えていると共に、挿入空間形成体２４は、接地面Ａに対して滑止めを行なう滑止体７を備えているので、挿入空間形成体２４を利用して滑止体７を設ける事ができる。
【００３８】
連結体５は、可撓性を有する索条にしてあるので、引張荷重に耐え得る事ができ、錘体４と主骨体２の上部との連結を容易に行なう事ができる。
【００３９】
車輪６は、主骨体２に対して高さ調整可能に設けられているので、接地面Ａが傾斜していても、主骨体２に対して車輪６を高さ調整する事ができ、テントフレーム１を適正な姿勢に保つ事ができる。
車輪６は、主骨体２に対して縦軸廻りに旋回可能であるので、主骨体２を任意の方向へ旋回させる事ができる。
【００４０】
滑止体７は、固定側（座体３や錘体４）に対して固定されているので、これから不用意に離脱する惧れがなく、紛失や故障等を誘発する事がない。
滑止体７は、接地面Ａに突入し得る突起（スパイク）３３を備えた略鋸板状を呈しているので、接地面Ａに対する滑止め効果が向上すると共に、製作が容易に行なえる。
【００４１】
次に、本発明の第二例を、図７乃至図９に基づいて説明する。
第二例は、滑止体７を第一例とは異ならせたものである。つまり、滑止体７は、固定側に対して上下方向に調整移動可能に設けられて居り、固定側に螺設された螺孔３４と、これに螺合されるボルト３５と、これの先部に形成されて接地面Ａに突入し得る円錐状の突起（スパイク）３６とを備えている。固定側は、この例では、座体３の座板１６や錘体４の挿入空間形成体２４に付設された略Ｌ型のブラケット３７にしてあり、螺孔３４は、固定側に付設したナットに依り形成されている。固定側には、螺孔３４に連通する貫孔（図示せず）が形成されて居り、ボルト３５は、螺孔３４に螺合されて貫孔に貫通される。滑止体７は、座体３には、二つ設けられていると共に、錘体４には、四つ設けられている。
【００４２】
この様なものは、ボルト３５を螺動させる事に依りこれを上下に移動でき、接地面Ａに対する突起３６の突入量を変える事ができる。その結果、滑止め効果を容易に可変する事ができると共に、不要の場合には、螺脱する事に依り簡単に取外す事ができる。
【００４３】
次に、本発明の第三例を、図１０に基づいて説明する。
第三例は、第一例の固定式の滑止体７と、第二例の可動式の滑止体７との両方を錘体４に設けたものである。
この様なものは、固定式の滑止体７と可動式の滑止体７との相乗的な滑止め効果を期待する事ができる。
【００４４】
次に、本発明の第四例を、図１１に基づいて説明する。
第四例は、挿入空間形成体２４を第一例とは異ならせたものである。つまり、挿入空間形成体２４は、その中空部分もフォーク挿入空間２３にしてフォークリフトのフォークが挿入できる様にしている。
この様なものは、挿入空間形成体２４の中空部分をフォーク挿入空間２３として利用できるので、フォークリフトに依り錘体４を運搬する際には、フォークに対して錘体４が横滑りする事がない。
第四例の錘体４は、金属製で箱形を為す外殻２０と、これの内部に充填されたコンクリート２１と、外殻２０の上面に付設された適数（一つ）のアイボルト等の吊具２２とを備えている。
【００４５】
尚、主骨体２は、先の例では、支柱６と屋根骨７が着脱可能に連結されるものであったが、これに限らず、例えばこれらが一体的なものでも良い。
主骨体２は、先の例では、支柱６と屋根骨７とを備えたものであったが、これに限らず、例えば特許文献２に示す如く、屋根体とこれの四隅に設けられた支柱とを備えたものでも良い。
座体３は、先の例では、ジャッキベースを用いたが、これに限らず、例えば他の構造のものを用いても良い。
錘体４は、先の例では、外殻２０とコンクリート２１とを備えたものであったが、これに限らず、例えばコンクリート２１を砂等に置き換えても良い。
連結体５は、先の例では、ワイヤロープ等の可撓性を有する索条であったが、これに限らず、例えば棒材や板材等の剛性を有する材料であっても良い。この様にすれば、引張荷重だけでなく、圧縮荷重にも対応する事ができ、主骨体２と錘体４との連結態様を拡大する事ができる。
連結体５は、先の例では、錘体４と主骨体２の屋根骨７の基端部との間に介設したが、これに限らず、例えば錘体４と主骨体２の支柱６の上部との間に介設しても良い。
連結体５は、先の例では、張力を調整する手段を備えていなかったが、これに限らず、例えばターンバックル等の張力調整手段を備えていても良い。張力調整手段は、例えば連結体５の途中に介設したり、連結体５と錘体４との間に介設する事ができる。
車輪６は、先の例では、螺子込み式のキャスタであったが、これに限らず、例えば旋回可能なブレーキ付きのキャスタやブレーキなしのキャスタや旋回不能なキャスタ等でも良い。
滑止体７は、第一例では、略鋸板状のものであったが、これに限らず、例えば錐状等のものでも良い。
滑止体７は、第一例では、座体３の座板１６の四辺に付設したが、これに限らず、例えば座体３の座板１６の四辺のうちの一乃至三辺に付設したり、座体３の座板１６の底面に付設しても良い。
滑止体７は、第二、三例では、先端に円錐状の突起３６を備えたボルト３５を用いたが、これに限らず、例えば市販のドリルネジを用いても良い。この場合には、ドリルネジのドリル部分が接地面Ａに捻れ込まれるので、滑止め効果だけでなく抜止め効果も発揮する事ができる。
滑止体７は、第二、三例では、固定側にナットを付設して螺孔３４を形成したが、これに限らず、例えばナットを割愛して固定側に直接螺孔３４を形成しても良い。
フォーク挿入空間２３は、先の例では、錘体４の下部に形成したが、これに限らず、例えば錘体４の上部や中部等に形成しても良い。
挿入空間形成体２４は、先の例では、角筒状であったが、これに限らず、例えばチャンネル状（略Ｕ状）等でも良い。
【符号の説明】
【００４６】
１…テントフレーム、２…主骨体、３…座体、４…錘体、５…連結体、６…車輪、７…滑止体、８…支柱、９…屋根体、１０…縦管、１１…横材、１２…筋交管、１３…斜管、１４…縦管、１５…筋交管、１６…座板、１７…螺子棒、１８…ハンドルナット、１９…抜止ボルト、２０…外殻、２１…コンクリート、２２…吊具、２３…フォーク挿入空間、２４…挿入空間形成体、２５…止結具、２６…転輪、２７…支持体、２８…螺子棒、２９…高さ調整手段、３０…筒体、３１…ハンドルナット、３２…抜止ボルト、３３…突起、３４…螺孔、３５…ボルト、３６…突起、３７…ブラケット、Ａ…接地面。
【図１】
0005437142.tif 000002
【図２】
0005437142.tif 000003
【図３】
0005437142.tif 000004
【図４】
0005437142.tif 000005
【図５】
0005437142.tif 000006
【図６】
0005437142.tif 000007
【図７】
0005437142.tif 000008
【図８】
0005437142.tif 000009
【図９】
0005437142.tif 000010
【図１０】
0005437142.tif 000011
【図１１】
0005437142.tif 000012